(57)【特許請求の範囲】
【請求項１】
撮影光学系からの光学像を撮像する撮像素子と、
前記撮影光学系の光路内に配置される第１の位置と前記撮影光学系の光路外に配置される第２の位置との間を移動するミラー部材と、
前記撮像素子と前記撮影光学系との間に配置されるシャッタと、
前記ミラー部材が前記第２の位置にあり且つ前記シャッタが開放した状態において前記撮像素子から出力される信号に基づいた画像を動画として記録する動画撮影の開始を指示する第１の操作部材と、を備え、
該第１の操作部材を、前記ミラー部材が前記第２の位置に保持されているときに操作した場合には前記動画撮影が開始され、前記ミラー部材が前記第１の位置に保持されているときに操作した場合には前記動画撮影の指示が無効とされることを特徴とする撮影装置。
【請求項２】
請求項１に記載の撮影装置であって、
前記撮像素子の出力信号に基づいて画像を表示する表示装置と、
静止画撮影の開始を指示する第２の操作部材と、
前記ミラー部材が前記第２の位置にあり且つ前記シャッタが開放した状態において前記撮像素子から出力される信号に基づいた画像をリアルタイムに前記表示装置に表示するライブビュー表示の開始を指示する第３の操作部材と、をさらに有し、
前記第２の操作部材を前記ライブビュー表示中および前記動画撮影中に操作した場合、前記ミラー部材を前記第２の位置から前記第１の位置に一旦移動せしめた後に前記静止画撮影が開始され、
前記第３の操作部材を前記ライブビュー表示中に操作した場合、前記ミラー部材を前記第２の位置から前記第１の位置に移動して前記ライブビュー表示を終了させることを特徴とする撮影装置。
【請求項３】
請求項１または２に記載の撮影装置であって、
前記第１の操作部材は、前記動画撮影の指示に関する機能以外の他の機能を兼用する部材であることを特徴とする撮影装置。
【請求項４】
請求項３に記載の撮影装置であって、
前記第１の操作部材は、予め定められた複数の機能から特定の機能を、前記他の機能として選択設定可能な部材であることを特徴とする撮影装置。
【請求項５】
請求項３又は４に記載の撮影装置であって、
前記第１の操作部材は、前記ミラー部材が前記第１の位置に保持されている場合には、前記他の機能のための操作部材として機能することを特徴とする撮影装置。
【発明の詳細な説明】
【技術分野】
【０００１】
本発明は、静止画撮影および動画撮影が可能であり、さらにスルー画を表示するライブビューモードを有する撮影装置に関する。
【背景技術】
【０００２】
静止画撮影および動画撮影が可能なデジタル一眼レフカメラが特許文献１に開示されている。このカメラは、動画用レリーズボタンと、静止画用レリーズボタンと、さらに電源スイッチの役割を兼ね備えたレリーズロック部材とを有する。電源オフの状態から動画撮影を行う場合には、まずレリーズロック部材を解除する。その後、動画用レリーズボタンを押すことにより、ミラーアップし、被写体光束が撮像素子に結像され、液晶パネルに動画像が表示されて動画像が記録される。
【０００３】
一方、静止画撮影を行う場合には、まずレリーズロック部材を解除する。その後、静止画用レリーズボタンを全押しし、静止画撮影のためのモードにする。静止画用レリーズボタンを半押しし、被写体像を合焦させる。そして、静止画用レリーズボタンを全押しすることにより、ミラーアップし、シャッタが全開して、被写体光束が撮像素子に結像され、被写体像が画像用記録媒体に記録される。この後、シャッタが全閉してミラーダウンし、撮影が完了する。
【特許文献１】特開２００４−１０９８３１号公報
【発明の開示】
【発明が解決しようとする課題】
【０００４】
しかし、このデジタル一眼レフカメラは、動画撮影の状態から静止画を撮影する場合、一旦、静止画用レリーズボタンを全押しして静止画撮影のためのモード（ミラーダウン状態）にし、それから再度静止画用レリーズボタンを押して静止画を撮影する必要があった。このため、静止画の撮影が不便であった。また、ライブビューモードがないため、液晶パネルの動画像を見ながら静止画を撮影することができず、使い勝手がよくないという問題もあった。
【０００５】
本発明の課題は、静止画撮影と、動画撮影が可能であり、さらにスルー画を表示するライブビューモードを有する撮影装置における操作性を向上させることである。
【課題を解決するための手段】
【０００６】
本発明は、以下のような解決手段により前記課題を解決する。なお、理解を容易にするために、本発明の実施形態に対応する符号を付して説明するが、これに限定されるものではない。
請求項１に記載の発明は、撮影光学系（５）からの光学像を撮像する撮像素子（１６）と、前記撮影光学系（５）の光路内に配置される第１の位置（Ａ）と前記撮影光学系（５）の光路外に配置される第２の位置（Ｂ）との間を移動するミラー部材（１１）と、前記撮像素子（１６）と前記撮影光学系（５）との間に配置されるシャッタ（１４）と、前記ミラー部材（１１）が前記第２の位置（Ｂ）にあり且つ前記シャッタ（１４）が開放した状態において前記撮像素子（１６）から出力される信号に基づいた画像を動画として記録する動画撮影の開始を指示する第１の操作部材（３３）と、を備え、該第１の操作部材（３３）を、前記ミラー部材（１１）が前記第２の位置（Ｂ）に保持されているときに操作した場合には前記動画撮影が開始され、前記ミラー部材（１１）が前記第１の位置（Ａ）に保持されているときに操作した場合には前記動画撮影の指示が無効とされることを特徴とする撮影装置（１）である。
請求項２に記載の発明は、請求項１に記載の撮影装置（１）であって、前記撮像素子（１６）の出力信号に基づいて画像を表示する表示装置（１７）と、静止画撮影の開始を指示する第２の操作部材（３６）と、前記ミラー部材（１１）が前記第２の位置（Ｂ）にあり且つ前記シャッタ（１４）が開放した状態において前記撮像素子（１６）から出力される信号に基づいた画像をリアルタイムに前記表示装置（１７）に表示するライブビュー表示の開始を指示する第３の操作部材（３２）と、をさらに有し、前記第２の操作部材（３６）を前記ライブビュー表示中および前記動画撮影中に操作した場合、前記ミラー部材（１１）を前記第２の位置（Ｂ）から前記第１の位置（Ａ）に一旦移動せしめた後に前記静止画撮影が開始され、前記第３の操作部材（３２）を前記ライブビュー表示中に操作した場合、前記ミラー部材（１１）を前記第２の位置（Ｂ）から前記第１の位置（Ａ）に移動して前記ライブビュー表示を終了させることを特徴とする撮影装置（１）である。
請求項３に記載の発明は、請求項１または２に記載の撮影装置（１）であって、前記第１の操作部材（３３）は、前記動画撮影の指示に関する機能以外の他の機能を兼用する部材であることを特徴とする撮影装置（１）である。
請求項４に記載の発明は、請求項３に記載の撮影装置（１）であって、前記第１の操作部材（３３）は、予め定められた複数の機能から特定の機能を、前記他の機能として選択設定可能な部材であることを特徴とする撮影装置（１）である。
請求項５に記載の発明は、請求項３又は４に記載の撮影装置（１）であって、前記第１の操作部材（３３）は、前記ミラー部材（１１）が前記第１の位置（Ａ）に保持されている場合には、前記他の機能のための操作部材として機能することを特徴とする撮影装置（１）である。
なお、符号を付して説明した構成は、適宜改良してもよく、また、少なくとも一部を他の構成物に代替してもよい。
【発明の効果】
【０００７】
本発明によれば、静止画撮影および動画撮影が可能であり、さらにスルー画を表示するライブビューモードを有する撮影装置において、操作性を向上させることができる。
【発明を実施するための最良の形態】
【０００８】
以下、図面等を参照して、本発明の実施形態について説明する。なお、以下に示す図１、図２、図１４および図１６には、説明と理解を容易にするために、ＸＹＺ直交座標系を設けた。この座標系では、撮影者が光軸Ａを水平として横長の画像を撮影する場合のカメラ１の位置（以下、通常の撮影位置という）において撮影者から見て左側に向かう方向をＸプラス方向とする。また、通常の撮影位置において上側に向かう方向をＹプラス方向とする。さらに、通常の撮影位置において被写体に向かう方向をＺプラス方向とする。
【０００９】
図１は本発明の一実施形態によるデジタル眼レフカメラ１の概略図である。カメラ１は、カメラボディ２と、カメラボディ２に装着可能に取り付けられるレンズ鏡筒３とを備える。
【００１０】
カメラボディ２内には、被写体からの撮影光をファインダ光学系へと導くメインミラー１１ａとサブミラー１１ｂとが備えられている。なお、メインミラー１１ａはサブミラー１１ｂと併せてクイックリターンミラー１１として構成される。クイックリターンミラー１１の下には、レンズ鏡筒の焦点調節状態を検出する焦点検出装置１３が配置されている。
【００１１】
メインミラー１１ａの背面側には、被写体側よりシャッタ１４、および撮像装置１５が順に設けられている。撮像装置１５はＣＣＤ（ｃｈａｒｇｅ−ｃｏｕｐｌｅｄ  ｄｅｖｉｃｅ  ｍｅｍｏｒｙ）等の固体撮像素子１６を備える。撮像素子１６は、被写体光を電気信号に変換する光−電気変換素子である。撮像素子１６のさらに背面側には、例えばＬＣＤ（液晶）のモニタ１７が設けられている。
【００１２】
クイックリターンミラー１１の上部には、焦点板１８が配置されている。焦点板１８は、クイックリターンミラー１１により反射された被写体像を結像させるためのスクリーンであり、クイックリターンミラー１１とペンタプリズム１９との間に配置されている。
【００１３】
焦点板１８の上は、ファインダ光束をファインダ３０（図３０）へと導くペンタプリズム１９と、ペンタプリズム１９の出光側に設けられた、測光装置２０および接眼光学系２１とを備える。
【００１４】
ペンタプリズム１９は、焦点板１８で結像した像を、正立像とし、接眼光学系２１等に導くプリズムであり、その断面形状は、図１に示すように五角形である。ペンタプリズム１９は、カメラボディ２を横位置に構えた状態の上部に収容されている。
【００１５】
測光装置２０は、設定ＩＳＯ感度、被写体の光の強さに応じて、適正露出を算出するために、光の強さを測定する測光素子等を備えている。
【００１６】
接眼光学系２１は、ペンタプリズム１９により正立像とされた被写体像を、拡大観察するための光学系であり、ペンタプリズム１９よりもカメラボディ２の背面側に配置されている。
【００１７】
一方、レンズ鏡筒３は、複数のレンズ２３と、絞り２４とを有する撮影光学系５を備え、カメラボディ２のレンズマウントに取り付けられる。
【００１８】
レンズ鏡筒３に入射した光はレンズ２３および絞り２４を通過し、カメラボディ２内に入射する。そして、クイックリターンミラー１１が図１中Ａで示すミラーダウン位置の場合、その通過光はメインミラー１１ａにより焦点板１８上に結像する。また、メインミラー１１ａはハーフミラーとなっており、通過光はサブミラー１１ｂに反射されて焦点検出装置１３に導かれ、焦点調節状態が検出される。一方、メインミラー１１ａで反射されて焦点板１８上に結像した被写体像は、ペンタプリズム１９を経由して接眼光学系２１を介して観察される。さらに焦点板１８に結像した被写体像は、ペンタプリズム１９を経由して測光装置２０へ導かれて測光される。
【００１９】
図２（ａ）は、カメラ１の背面図である。背面には、静止画および動画を表示するとともにメニューを表示する上述のモニタ１７が配置されている。モニタ１７の上にはファインダ３０が設けられている。ファインダ３０の横にはＡＦボタン３１が配置されている。ＡＦボタン３１は、ライブビュー時または動画撮影時に押すとＡＦを行うボタンである。モニタ１７の横の上部には、ライブビューボタン３２が設けられている。ライブビューボタン３２は、ミラーダウン状態で押すとミラーアップしてライブビューを開始し、ライブビュー時に押すとライブビューを終了してミラーダウンするボタンである。
【００２０】
モニタ１７の横の下部には、動画ボタン３３が配置されている。動画ボタン３３は、ライブビュー時に押すと動画記録を開始し、動画記録時に押すと動画記録を終了するボタンである。モニタ１７のＸプラス側の上部には、再生ボタン３４が配置されている。再生ボタン３４は、画像を再生していないとき（動画記録時を除く）に押すと画像再生となり、画像再生時に押すと画像再生を終了するボタンである。モニタ１７のＸプラス側の再生ボタン３４の下部には、メニューボタン３５が配置されている。メニューボタン３５は、メニューを表示していないとき（動画記録時を除く）に押すとメニュー表示となり、メニュー表示時に押すと画像再生を終了するボタンである。
【００２１】
図２（ｂ）は、カメラ１の正面図である。図示するようにカメラ１の間前面のＸマイナス側には、レリーズボタン３６が設けられ、レリーズボタン３６の周りには、回転するとカメラの電源がオン・オフされる電源ダイヤル３７が設けられている。
【００２２】
次に、本実施形態のカメラ１の内部構成について説明する。図３は、カメラ１の内部構成を示すブロック図である。
１０１はマイクロコンピュータ等によって構成される制御回路であり、後述される各ブロックから出力される信号を入力して所定の演算を行い、演算結果に基づいて制御信号を各ブロックへ出力する。なお、この制御装置１０１には不図示の電池より電力が供給される。
【００２３】
ＳＷ（スイッチ）１は電源ダイヤル３７の回転位置に連動してオン、オフになる電源スイッチであり、電源ダイヤル３７がオン位置にセットされるとオンとなり、電源ダイヤル３７がオフ位置にセットされるとオフとなる。
ＳＷ２はレリーズボタン３６の半押し位置まで押下するとオンになり、その後のレリーズボタン３６のさらなる押し込みでもオンを保持し、レリーズボタン３６の半押し位置よりも押し込みを解除するとオフになる半押しスイッチである。
ＳＷ３はレリーズボタン３６を全押し位置まで押下することによりオンになり、レリーズボタン３６の全押し位置よりも押し下げを解除するとオフになる全押しスイッチである。
ＳＷ４は図２に示すＡＦボタン３１の押し下げに連動してオンになり、押し下げの解除に連動してオフになるＡＦスイッチである。
ＳＷ５は図２に示すライブビューボタン３２の押し下げに連動してオンになり、押し下げの解除に連動してオフになるライブビュースイッチである。
ＳＷ６は図２に示す動画ボタン３３の押し下げに連動してオンになり、押し下げの解除に連動してオフになる動画スイッチである。
ＳＷ７は図２に示すメニューボタン３５の押し下げに連動してオンになり、押し下げの解除に連動してオフになるメニュースイッチである。
ＳＷ８は図２に示す再生ボタン３４の押し下げに連動してオンになり、押し下げの解除に連動してオフになる再生スイッチである。
【００２４】
１６は上述の撮像素子であり、撮像素子１６は、レンズ鏡筒３を透過した被写体光を受光して撮像して画像信号を出力する。この撮像素子１６の感度は、例えばＩＳＯ１００相当などの所定の感度ＳＶが設定される。
１０３はＡ／Ｄ（アナログ／デジタル）変換回路であり、撮像素子１６から出力される蓄積電荷としてのアナログ画像信号に対してゲイン調整などの処理を行った後にデジタル信号に変換する。
１０４はタイミング回路であり、撮像素子１６を駆動するタイミング信号およびＡ／Ｄ変換回路１０３に駆動するタイミング信号を出力する。
【００２５】
１０５は、ＡＳＩＣなどで構成される画像処理回路であり、デジタル信号である原画像データに対してホワイトバランス（ＷＢ）調整、輪郭補償、ガンマ補正などの画像処理を行うとともに、前述のＡ／Ｄ変換回路１０３から出力されるデジタル信号の原画像データを後述のバッファメモリ１０６へ出力する。また、原画像データを画像処理した後に所定の形式で圧縮する圧縮処理、圧縮されたデータを伸長する伸長処理などを行う。さらに圧縮処理後の画像データを後述の記録媒体１０７へ出力したり、圧縮画像データをもとの圧縮前の画像データに伸長したりする。
【００２６】
１０６はバッファメモリであり、原画像データや圧縮処理後の圧縮画像データを一時的に格納するメモリであり、ＳＲＡＭ（Ｓｔａｔｉｃ  Ｒａｎｄｏｍ  Ａｃｃｅｓｓ  Ｍｅｍｏｒｙ）、ＶＲＡＭ（Ｖｉｄｅｏ  Ｒａｎｄｏｍ  Ａｃｃｅｓｓ  Ｍｅｍｏｒｙ）、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）などを用いることができる。
１０７はフラッシュメモリなどから構成されるメモリカードなどの記録媒体であって、圧縮処理後の画像データを記録するものであり、カメラ１に対して着脱可能に構成されている。
【００２７】
１０８は表示駆動回路であり、モニタ１７を駆動して入力した画像信号を出力して画像をモニタ１７に表示する。
２０は上述の測光装置であり、ＩＣから構成され、レンズ鏡筒３を透過して測光素子２０ａに検出されたレンズ透過光量を入力して増幅し、デジタル信号を変換して制御装置１０１へ出力する。
【００２８】
１１１は情報表示装置であり、液晶などの表示素子とその駆動回路などから構成され、シャッタ速度や絞り値などを表示する。
１１２はシャッタ駆動回路であり、シャッタ１４の先幕および後幕の保持およびそれぞれの解除を制御する。なお、シャッタ１４は後述するシーケンス駆動装置のミラーアップ途中でチャージの解除がなされるので、シーケンス駆動装置によるミラーアップ動作前にシャッタ１４の先幕および後幕の保持を行う必要がある。
【００２９】
１１４はモータ駆動回路であり、シーケンスモータ１１５の回転を制御する。
シーケンスモータ１１５は、公知で不図示のシーケンス駆動装置に組み込まれ、このシーケンス駆動装置を駆動することによりミラーのアップ・ダウン、絞りの絞り込み・開放復帰、シャッタ１４のチャージを行う。
【００３０】
なお、シーケンス駆動装置には、シーケンススイッチＳＷ０が配設され、ミラーアップ動作開始直後からオフし、ミラーアップ完了直前からミラーアップ中にオンとなる。また、ミラーダウン開始直後からオフし、ミラーダウン直前からミラーダウン中オンとなる。こうしたタイミングでオン・オフになるこのシーケンススイッチＳＷ０の状態によりシーケンスモータ１１５の駆動およびブレーキの制御を行うことで、シーケンス駆動装置の動作を制御することが可能となる。
【００３１】
すなわち、シーケンス駆動装置がミラーダウン状態でシーケンスモータ１１５が停止している状態では、シーケンススイッチＳＷ０はオン状態を保っている。ミラーアップのためにシーケンスモータ１１５を正転すると、シーケンス駆動装置が作動して若干の時間遅れでシーケンススイッチＳＷ０がオフになる。
【００３２】
シーケンスモータ１１５の正転を継続するとシーケンス駆動装置の作動によりミラーアップおよび絞りの絞込みが行われる。さらにシーケンスモータ１１５の正転を継続すると、シーケンス駆動装置の作動によってミラーアップ完了の直前にシーケンススイッチＳＷ０がオンする。このシーケンスモータ１１５のブレーキ制御により、シーケンスモータ１１５を停止し、シーケンス駆動装置によるミラーアップ動作を停止する。
【００３３】
なお、シーケンス駆動装置は絞りの絞込み動作がラーアップ完了までに終了するように構成されている。一方、ミラーアップ状態ではシーケンススイッチＳＷ０はオン状態を維持している。ミラーダウンのためにシーケンスモータ１１５を逆転するとシーケンス駆動装置が作動して若干の時間遅れでシーケンススイッチＳＷ０がオフになる。
【００３４】
シーケンスモータ１１５の逆転を継続するとシーケンス駆動装置の作動によりミラーダウンが行われ、また絞りが係止されている場合には係止の解除がなされるとともに絞りの開放への復帰が行われ、さらに後述のシャッタ１４のチャージが行われる。
【００３５】
さらにシーケンスモータ１１５の逆転を継続するとシーケンス駆動装置の作動によってミラーダウン完了の直前にシーケンススイッチＳＷ０がオンになるので、ここでシーケンスモータ１１５のブレーキ制御を行ってシーケンスモータ１１５を停止してシーケンス駆動装置によるミラーダウン動作を停止する。なお、シーケンス駆動装置は、絞りの開放復帰およびシャッタ１４のチャージがミラーダウン完了までに終了するように構成されている。
【００３６】
１１６は絞り位置検出装置であり、シーケンス駆動装置により絞りが絞り込まれるときの絞りの位置をパルスとして検出して出力する。
１１７は絞り係止装置であり、この絞り係止装置１１７を作動させることにより絞りが係止されて絞りの絞込みが停止するようになっている。なお、シーケンス駆動装置は、この絞り係止装置１１７による絞りの係止がシーケンス駆動装置のミラーダウン途中に解除されるように構成されている。
【００３７】
１３は上述の焦点検出装置であり、レンズ鏡筒３による焦点位置の調節状態を位相差検出方式にて検出して出力する。
１１９はレンズ駆動装置であり、レンズ鏡筒３のフォーカスレンズを光軸方向に進退駆動し、レンズ鏡筒３の焦点位置を調節する。
【００３８】
次に、制御装置１０１の動作を示す図４〜１３のフローチャートを用いて本実施形態のカメラの動作を説明する。
まず、カメラ１の電源ダイヤル３７がオン位置に回転され、電源スイッチＳＷ１がオンになると、プログラムがスタートし、図４のＳ１から順々に実施される。
【００３９】
（図４：メインプログラム）
図４は制御装置１０１のメイン動作を示すフローチャートである。以下、フローチャートにおけるステップをＳとして表す。
【００４０】
まず、フラグＤ、Ｍ、Ｐ、ＬＶ、ＭＶを０にセットする（Ｓ１）。
フラグＤは、モニタ１７が点灯しているときに１となり、消灯すると０になるモニタフラグである。
フラグＭは、モニタ１７にメニューが表示されているときに１となり、モニタ１７にメニューが表示されていないときに０になるメニューフラグである。
フラグＰは、モニタ１７に画像が再生表示されているときに１となり、モニタ１７に画像が再生表示されていないときに０になる再生表示フラグである。
フラグＬＶは、ミラーアップ状態でリアルタイム画像をモニタ１７に表示するライブビュー時に１となり、ライブビューを終了してミラーダウンすると０になるライブビューフラグである。
フラグＭＶは、ミラーアップ状態で動画記録をしているときに１となり、動画記録を終了すると０になる動画フラグである。
【００４１】
次に、電源スイッチＳＷ１がオフかどうかを判断する（Ｓ２）。電源オフの場合（Ｓ２，ＹＥＳ）、オフ処理を行い（Ｓ３）、プログラムを終了する。オフ処理では、メニューが表示されている場合、メニューを終了してからモニタ１７を消灯してプログラムを終了する。画像が再生されている場合、画像再生を終了してからモニタ１７を消灯してプログラムを終了する（詳細は図５）。
【００４２】
電源オンの場合（Ｓ２，ＮＯ）、測光、露出演算、情報表示装置１１１への表示が行われる（Ｓ４，Ｓ５，Ｓ６）。
ライブビューボタン３２が押下されると（Ｓ７，ＹＥＳ）、ライブビューモードになる（Ｓ８，詳細は図７）。その後、Ｓ２へ戻る。
【００４３】
ライブビューボタン３２が押下されていない場合（Ｓ７，ＮＯ）、メニューフラグＭが１かどうかを判断する（Ｓ９）。
メニューフラグＭが１の場合（Ｓ９，ＹＥＳ）、メニューモードとなり（Ｓ１０）、Ｓ１１に進み、メニューボタン３５が押下されたかどうかを判断する（Ｓ１１）。
メニューフラグＭが０の場合（Ｓ９，ＮＯ）、直接Ｓ１１に進み、同様に、メニューボタン３５が押下されたかどうかを判断する（Ｓ１１）。
【００４４】
メニューボタン３５が押下されている場合（Ｓ１１，ＹＥＳ）、図１０のメニューボタン処理へ進む。メニューボタン処理では、メニューモード（メニューフラグＭ＝１）の場合、メニューを終了し、モニタ１７を消灯し、メニューフラグＭ、モニタフラグＤを０にセットする。画像を再生している（再生表示フラグＰ＝１）場合、画像再生を終了してメニュー表示を行い、メニューフラグＭを１に、再生表示フラグＰを０にセットする（詳細は図１０）。
メニューボタン３５が押下されていない合（Ｓ１１，ＮＯ）、直接Ｓ１３へ進む。
【００４５】
その後、再生ボタン３４が押下されたかどうかを判断する（Ｓ１３）。再生ボタン３４が押下されている場合、図１１の再生ボタン処理へ進む（Ｓ１４）。再生ボタン処理では、画像の再生をしている場合（再生表示フラグＰ＝１）、画像再生を終了し、モニタ１７を消灯し、再生表示フラグＰ、モニタフラグＤを０にセットする。メニューモード（メニューフラグＭ＝１）の場合、メニューを終了して画像再生を行い、再生表示フラグＰを１に、メニューフラグＭを０にセットする（詳細は図１１）。そしてＳ１５へ進む。
再生ボタン３４が押下されていない場合、直接Ｓ１５へ進む。
【００４６】
Ｓ１５では、レリーズボタン３６が半押しされたかどうかを判断する。レリーズボタン３６が半押しされた場合（Ｓ１５，ＹＥＳ）、図１２の半押し処理が行われる。半押し処理では、メニューモード（メニューフラグＭ＝１）の場合、メニューを終了し、モニタ１７を消灯し、メニューフラグＭ、モニタフラグＤを０にセットする。画像を再生している（再生表示フラグＰ＝１）場合、画像再生を終了してメニュー表示を行い、メニューフラグＭを１に、再生表示フラグＰを０にセットし、位相差ＡＦによる測距を行い、レンズ駆動し（詳細は図１２）、Ｓ１７へ進む。
レリーズボタン３６が半押しされていない合（Ｓ１５，ＮＯ）、ステップ２へ戻る。
【００４７】
Ｓ１７では、レリーズボタン３６が全押しされたかどうかを判断する。レリーズボタン３６が全押しされた場合（Ｓ１７，ＹＥＳ）、図１３のレリーズシーケンスが行われる（Ｓ１８）。具体的には、ミラーアップ、絞りの絞り込み、シャッタ１４の先幕および後幕の走行タイミングを制御することによりシャッタ１４速度を制御し、撮像素子１６に電荷を蓄積し、画像処理、画像圧縮、画像記録を行うとともにミラーダウンして静止画の撮影を行う。その後、Ｓ２へ戻る。
レリーズボタン３６が全押しされていない場合（Ｓ１７，ＮＯ）、Ｓ２へ戻る。
【００４８】
（図５：オフ処理）
図５は、Ｓ３のオフ処理を示すフローチャートである。オフ処理は、電源スイッチＳＷ１がオフの場合に、プログラムを終了する処理である。
【００４９】
まず、モニタ１７が点灯しているかどうかを判断する（Ｓ２１）。モニタ１７が消灯している場合（Ｓ２１，ＮＯ、モニタフラグＤ＝０）は、オフ処理は終了する。
【００５０】
モニタ１７が点灯している場合（Ｓ２１，ＹＥＳ、モニタフラグＤ＝１）は、ライブビュー表示が行われているかどうかを判断する（Ｓ２２）。
ライブビュー表示が行われている場合（Ｓ２２，ＹＥＳ、ライブビューフラグＬＶ＝１）、ミラーダウン処理が行われ（Ｓ２３，図５）、オフ処理が終了する。
ライブビュー表示が行われていない場合（Ｓ２２，ＮＯ、ライブビューフラグＬＶ＝０）、動画が記録されているかどうかを判断する（Ｓ２４）。
【００５１】
動画が記録されている場合（Ｓ２４，ＹＥＳ、動画フラグＭＶ＝１）、ミラーダウン処理が行われ（Ｓ２３，図５）、オフ処理が終了する。
動画が記録されていない場合（Ｓ２４，ＮＯ、動画フラグＭＶ＝０）、メニューが表示されているかどうかを判断する（Ｓ２５）。
メニューが表示されていない場合（Ｓ２５，ＮＯ、メニューフラグＭ＝０）、モニタ１７が点灯し、メニューが表示されていないので画像再生されていると判断し、再生が終了され（Ｓ２８）、再生表示フラグＰが０にされ（Ｓ２９）、Ｓ３０へ進む。
メニューが表示されている場合（Ｓ２５，ＹＥＳ、メニューフラグＭ＝１）、メニュー表示は終了される（Ｓ２６）。メニューフラグＭが０にされて（Ｓ２７）、Ｓ３０へ進む。
Ｓ３０ではモニタ１７が消灯され、Ｓ３１でモニタフラグＤが０にされ、オフ処理が終了する。
【００５２】
（図６：ミラーダウン処理）
図６はミラーダウン処理を示すフローチャートである。
ミラーダウン処理では、まず、電荷蓄積を終了し（Ｓ４１）、動画再生を終了する（Ｓ４２）。ライブビューフラグＬＶを０、動画フラグＭＶを０にする（Ｓ４３）。モニタ１７を消灯し（Ｓ４４）、モニタフラグＤを０にする（Ｓ４５）。
後幕の保持を解除する（Ｓ４６）。後幕が走行終了するまで待つ（Ｓ４７）。
ミラー用のシーケンスモータ１１５の逆転を開始する（Ｓ４８）。ミラーダウンが終了したら（Ｓ４９，ＹＥＳ）、シーケンスモータ１１５を停止させ（Ｓ５０）、ミラーダウン処理が終了する。
【００５３】
（図７：ライブビューモード）
図７はライブビューモードの動作を示すフローチャートである。ライブビューモードでは、まず、ミラーアップ処理が行われる（Ｓ６１，図８）。
ミラーアップ処理では、ミラーアップ、絞りの絞り込み、シャッタ１４の先幕開放を行う。このとき、メニュー表示していればメニューを終了してからモニタ１７を消灯し、画像再生していれば画像再生を終了してからモニタ１７を消灯してからミラーアップをする（詳細は図８）。
【００５４】
ミラーアップが終了すると、蓄積時間を制御し（Ｓ６２）、画像を取り込み（Ｓ６３）、画像処理を行い（Ｓ６４）、動画を圧縮する（Ｓ６５）。
【００５５】
次に、動画フラグＭＶが１かどうかを判断する（Ｓ６６）。
動画フラグＭＶが０の場合（Ｓ６６，ＮＯ）、モニタ１７にリアルタイム画像を動画表示し（Ｓ６８）、動画の輝度を算出する（Ｓ６９）。
【００５６】
Ｓ７０では、動画ボタン３３が押下されたかどうかを判断する（Ｓ７０）。動画ボタン３３が押下されると（Ｓ７０，ＹＥＳ）と、動画フラグＭＶが０かどうかを判断（Ｓ７１）する。動画フラグＭＶが０でない場合（Ｓ７１，ＮＯ）は０にされ（Ｓ７３）、動画フラグＭＶが０の場合は１にされてＳ７４に進む。なお、動画フラグＭＶが１になると、後述するＳ８１において、Ｓ６２に戻る。この場合Ｓ６６において、動画フラグＭＶが１であるので（Ｓ６６，ＹＥＳ）、画像を記録媒体に記録し（Ｓ６７）、再度Ｓ６８へ進む。
Ｓ７０で動画ボタン３３が押下されていない場合（Ｓ７０，ＮＯ）、直接Ｓ７４に進む。
【００５７】
Ｓ７４では、ＡＦボタン３１が押下されたかどうかを判断し、ＡＦボタン３１が押下されると（Ｓ７４，ＹＥＳ）、撮像素子１６に到達する被写体光の結像状態のコントラストに基づいたコントラストＡＦ焦点検出を行い（Ｓ７５）、レンズ２３を駆動し（Ｓ７６）、Ｓ７７へ進む。ＡＦボタン３１が押下されていない場合はＳ７４から直接Ｓ７７へ進む。
【００５８】
Ｓ７７では、ライブビューボタン３２が押下されているかどうかを判断する。ライブビューボタン３２が押下されると（Ｓ７７，ＹＥＳ）、リアルタイム画像の動画表示を終了し、モニタ１７を消灯し、ライブビューフラグＬＶ、動画フラグＭＶ、モニタフラグＤを０にセットし、ミラーダウン、絞りの開放復帰、シャッタ１４の後幕走行を行うミラーダウン処理を行う（図６）。
【００５９】
ライブビューボタン３２が押下されていない場合（Ｓ７７，ＮＯ）、電源がオフされたかどうかを判断する（Ｓ７９）。
電源がオフの場合（Ｓ７９，ＹＥＳ）、図４の（１）に進み、リアルタイム画像の動画表示を終了し、モニタ１７を消灯し、ライブビューフラグＬＶ、動画フラグＭＶ、モニタフラグＤを０にセットし、ミラーダウン、絞りの開放復帰、シャッタ１４の後幕走行を行う、図５のオフ処理を行う。
【００６０】
電源がオンの場合、レリーズボタン３６が全押しされたかどうかを判断する（Ｓ８０）。レリーズボタン３６が全押しされると（Ｓ８０，ＹＥＳ）、図９の（２）の処理に進む。具体的には、リアルタイム画像の動画表示を終了し、図９の処理では、モニタ１７を消灯し、ライブビューフラグＬＶ、動画フラグＭＶ、モニタフラグＤを０にセットし、ミラーダウン、絞りの開放復帰、シャッタ１４の後幕走行を行う。その後、測光、測距（位相差ＡＦ）を行い、レンズ駆動してから静止画の撮影を行い、ミラーダウン状態となる（ライブビューモードに自動的には復帰はしない）。
【００６１】
レリーズボタン３６が全押しされていない場合（Ｓ８０，ＮＯ）、動画フラグＭＶが０かどうかを判断する（Ｓ８１）。
動画フラグＭＶが１の場合、すなわち、動画撮影を行なっているとき（Ｓ８１，ＹＥＳ）には、Ｓ６２に戻り、Ｓ６６において動画フラグＭＶが１であるで、Ｓ６７に進んで画像が記録される。すなわち、動画撮影を行なっているときには、Ｓ８１以降のメニューボタン３５の押下判定、再生ボタン３４の押下判定を行なわない。
【００６２】
Ｓ８１で動画フラグＭＶが０の場合、メニューボタン３５が押されたかどうかを判断（Ｓ８２）、メニューボタン３５が押下されている場合（Ｓ８２，ＹＥＳ）は、図１０のメニューボタン処理に進む（Ｓ８３）。メニューボタン処理では、リアルタイム画像の動画表示を終了し、モニタ１７を消灯し、ライブビューフラグＬＶ、動画フラグＭＶ、モニタフラグＤを０にセットし、ミラーダウン、絞りの開放復帰、シャッタ１４の後幕走行を行ってから、再度モニタ１７を点灯し、メニューを表示する。このとき、ミラーダウン状態を保持し、自動的にライブビューモードには復帰しない。
【００６３】
メニューボタン３５が押下されていない場合（Ｓ８２，ＮＯ）、再生ボタン３４が押下されているどうかを判断する（Ｓ８４）。再生ボタン３４が押されていない場合（Ｓ８４，ＮＯ）、Ｓ６２に戻る。
再生ボタン３４が押されている場合（Ｓ８４，ＹＥＳ）、図１１の再生ボタン処理を行なう（Ｓ８５）。すなわち、リアルタイム画像の動画表示を終了し、モニタ１７を消灯し、ライブビューフラグＬＶ、動画フラグＭＶ、モニタフラグＤを０にセットし、ミラーダウン、絞りの開放復帰、シャッタ１４の後幕走行を行ってから、再度モニタ１７を点灯し、所定の画像の再生をする。このとき、ミラーダウン状態を保持し、自動的にライブビューモードには復帰しない。
【００６４】
（図８：ミラーアップ処理）
図８はミラーアップ処理を示すフローチャートである。ミラーアップ処理では、ミラーアップ、絞りの絞り込み、シャッタ１４の先幕開放を行う。このとき、メニューを表示していればメニュー表示を終了してからモニタ１７を消灯し、画像を再生していれば画像再生を終了してからモニタ１７を消灯し、その後ミラーアップを行う。
【００６５】
具体的には、まず、ライブビューフラグＬＶを、１にする（Ｓ９１）。
モニタフラグＤが０であるかどうか判断する（Ｓ９２）。
モニタフラグＤが１の場合（Ｓ９２，ＮＯ）、メニューフラグＭが１かどうかを判断する（Ｓ９５）。
メニューフラグＭが０の場合（Ｓ９５，ＮＯ）、再生を終了し（Ｓ９８）、再生表示フラグＰを０にして、Ｓ１００に進む。
メニューフラグＭが１の場合（Ｓ９５，ＹＥＳ）、メニューを終了し（Ｓ９６）、メニューフラグＭを０にして、Ｓ１００に進む。
モニタフラグＤが０の場合（Ｓ９２，ＹＥＳ）、モニタ１７を点灯する（Ｓ９３）。そして、モニタフラグＤを１にし、Ｓ１００に進む。
【００６６】
Ｓ１００では、シャッタ１４の先幕と後幕とを保持し、モータ１１５の正転を開始する（Ｓ１０１）。
絞り位置を検出し（Ｓ１０２）、Ｐｋ≧Ｐｃかどうかを判断する（Ｓ１０２）。なお、Ｐｋは、絞り位置検出装置１１６によって検出される駆動絞りパルスであり、Ｐｃは、制御絞り値に対応するパルスである。
Ｐｋ≧Ｐｃでない場合は（Ｓ１０２，ＮＯ）、モータ１１５の正転を継続し、再度絞り位置を検出する（Ｓ１０２）。
Ｐｋ≧Ｐｃの場合は（Ｓ１０２、ＹＥＳ）、絞り係止装置１１７を作動させて絞りを係止し（Ｓ１０４）、ミラーアップが終了したところで（Ｓ１０６）、モータ１１５を停止する（Ｓ１０６）。
その後、シャッタ１４の先幕と後幕の保持を解除し（Ｓ１０７）、撮像素子１６の電荷の蓄積を開始する（Ｓ１０８）。
【００６７】
（図９：ライブビュー中にレリーズボタンが押下されたときの処理）
図９は、ライブビュー中にレリーズボタンが押下されたときの処理を示すフローチャートである。図９の処理においては、まず、図６のミラーダウン処理を行う。
具体的には、リアルタイム画像の動画表示を終了し、モニタ１７を消灯し、ライブビューフラグＬＶ、動画フラグＭＶ、モニタフラグＤを０にセットし、ミラーダウン、絞りの開放復帰、シャッタ１４の後幕走行を行う。
【００６８】
その後、測光（Ｓ１１２）、露出演算（Ｓ１１３）、位相差ＡＦによる焦点検出を行い（Ｓ１１４）、レンズ２３を駆動し（Ｓ１１５）、図１３で示すレリーズシーケンス、すなわち静止画の撮影を行う（Ｓ１１６）。
【００６９】
（図１０：メニューボタン処理）
図１０はメニューボタン処理を示すフローチャートである。
まず、ライブビューフラグＬＶが１かどうかを判断する（Ｓ１２１）。
ライブビューフラグＬＶが０の場合（Ｓ１２１，ＮＯ）、モニタフラグＤが１かどうかを判断する（Ｓ１２７）。
モニタ１７が点灯されてモニタフラグＤが１の場合（Ｓ１２７，ＹＥＳ）、再生表示フラグＰが１かどうかを判断する（Ｓ１２８）。
再生表示フラグＰが０でモニタ１７に画像が表示されていない場合（Ｓ１２８，ＮＯ）、メニューは終了する（Ｓ１２９）。
メニューフラグＭを０にし（Ｓ１３０）、モニタ１７を消灯する（Ｓ１３１）。そして、モニタフラグＤを０にして終了する。
Ｓ１２８において再生表示フラグＰが１の場合（Ｓ１２８，ＹＥＳ）、再生終了され（Ｓ１３３）、再生表示フラグＰが０にされ、Ｓ１２５に進む。
Ｓ１２７においてモニタフラグＤが０の場合（Ｓ１２７，ＮＯ）、Ｓ１２３へ進む。
Ｓ１２１において、ライブビュー表示が行われている場合（Ｓ１２１，ＹＥＳ）、図６のミラーダウン処理を行う（Ｓ１２２）。
モニタ１７を点灯し（Ｓ１２３）、モニタフラグＤを１にし、メニューを表示し（Ｓ１２５）、メニューフラグＭを１にして終了する。
【００７０】
（図１１：再生ボタン処理）
図１１は再生ボタン処理を示すフローチャートである。再生ボタン処理では、まず、ライブビューフラグＬＶが１かどうかを判断する（Ｓ１４１）。
ライブビューフラグＬＶが０の場合（Ｓ１４１，ＮＯ）、モニタフラグＤが１かどうかを判断する（Ｓ１４７）。
モニタフラグＤが１の場合（Ｓ１４７，ＹＥＳ）、メニューフラグＭが１かどうかを判断する（Ｓ１４８）。
メニューフラグＭが０の場合（Ｓ１４８，ＮＯ）、再生を終了し（Ｓ１４９）、再生表示フラグＰを０にする（Ｓ１５０）。
モニタ１７を消灯し（Ｓ１５１）、モニタフラグＤを０にし（Ｓ１５２）、終了する。
Ｓ１４８でメニューフラグＭが１の場合（Ｓ１４８，ＹＥＳ）、メニューを終了し（Ｓ１５３）、メニューフラグＭを０にして（Ｓ１５４）、Ｓ１４５に進む。
Ｓ１４７においてモニタフラグＤが０の場合（Ｓ１４７，ＮＯ）Ｓ１２３へ進む。Ｓ１４１において、ライブビュー表示が行われている場合（Ｓ１２１，ＹＥＳ）、図６のミラーダウン処理を行う（Ｓ１４２）。モニタ１７を点灯し（Ｓ１４３）、モニタフラグＤを１にして（Ｓ１４４）、再生表示を行い（Ｓ１４５）、再生表示フラグＰを１にして終了する。
【００７１】
（図１２：半押し処理）
図１２は、半押し処理を示すフローチャートである。半押し処理において、まず、モニタフラグＤが１かどうかを判断する（Ｓ１６１）。モニタフラグＤが１の場合（Ｓ１６１，ＹＥＳ）、再生表示フラグＰが１かどうかを判断する（Ｓ１６２）。
再生表示フラグＰが０の場合（Ｓ１６２，ＮＯ）、メニューを終了する（Ｓ１６５）。そしてメニューフラグＭを０にし（Ｓ１６６）、Ｓ１６７に進む。
Ｓ１６２において再生表示フラグＰが１の場合、再生を終了し（Ｓ１６３）、再生表示フラグＰを０にする（Ｓ１６４）。
Ｓ１６７では、モニタ１７を消灯し、モニタフラグＤを０にする（Ｓ１６８）。
その後、位相差ＡＦにより焦点を検出する（Ｓ１６９）。なお、Ｓ１６１においてモニタフラグＤが０の場合も、Ｓ１６９に進む。そして、レンズが駆動され（Ｓ１７０）、終了する。
【００７２】
（図１３：レリーズシーケンス）
図１３は、レリーズシーケンスを示すフローチャートである。
まず、シャッタ１４の先幕、後幕が保持される（Ｓ１８１）。
モータ１１５の正転を開始する（Ｓ１８２）。これにより、ミラーアップ動作および絞りの絞込みが開始される。
絞り位置を検出し（Ｓ１８３）、Ｐｋ≧Ｐｃかどうかを判断し（Ｓ１８４）、
Ｐｋ≧Ｐｃでない場合は（Ｓ１８４，ＮＯ）、モータ１１５の正転が継続されて再度絞り位置が検出される（Ｓ１８３）。
Ｐｋ≧Ｐｃの場合は（Ｓ１８４、ＹＥＳ）、絞り係止装置１１７を作動させて絞りを係止し（Ｓ１８５）、ミラーアップが終了したところで（Ｓ１８６）、モータ１１５を停止する（Ｓ１８７）。
【００７３】
その後、所定時間待機し（Ｓ１８８）、撮像素子１６の電荷の蓄積を開始する（Ｓ１８９）。シャッタ１４の先幕の保持を解除し（Ｓ１９０）、シャッタ速度に相当する時間経過後、シャッタ１４の後幕保持を解除する（Ｓ１９１）。
後幕が走行終了するまで待機し（Ｓ１９２）、Ｓ１８９にて開始した撮像素子１６の電荷の蓄積を終了する（Ｓ１９３）。
モータ１１５の逆転を開始し（Ｓ１９４）、蓄積電荷を読み出し（Ｓ１９５）、これをデジタル信号に変換して画像としてのデータ処理をする（Ｓ１９６）。なお、モータ１１５の逆転開始によりミラーダウン動作および絞りの開放復帰が開始される。
画像のデータを圧縮し（Ｓ１９７）、画像のデータを記録する（Ｓ１９８）。その後、ミラーダウンしているかどうか判断し（Ｓ１９９）、ミラーダウンが終了すると（Ｓ１９９，ＹＥＳ），モータ１１５を停止し（Ｓ２００）、レリーズシーケンスが終了する。
【００７４】
以上、本実施形態によると、
カメラ１が電源オンの状態でレリーズボタン３６を全押し操作すると、静止画撮影が行われる。カメラ１の電源がオンの状態で、ライブビューボタン３２を押下すると、モニタ１７にライブビュー表示が行われる。そして、ａ）ライブビュー時にレリーズボタン３６を全押し操作すると、静止画撮影が行われる。ｂ）ライブビュー時に動画ボタン３３を押下すると、動画撮影となる。再度動画ボタン３３を押すと動画撮影を終了し、ライブビュー状態となる。ｃ）ライブビュー時にライブビューボタン３２を押下すると、ライブビューを停止する。
【００７５】
このように、静止画の開始トリガのためのレリーズボタン３６、動画撮影のための動画ボタンに加えてライブビューボタン３２を設けた。そして、ミラーダウン状態で接眼光学系により被写体を観察することと、ミラーアップ状態で背面液晶により被写体を観察することを分離し、ミラーアップ状態のライブビューモードでは、レリーズボタン３６の押下により静止画撮影を可能とするとともに動画ボタンの押下により動画撮影の開始可能とした。
【００７６】
そのため、ライブビューモードにおいては、レリーズボタン３６を押下すれば、静止画撮影が即座に実施されるとともに、動画ボタンを押せば即座に動画撮影が開始されるので、本実施形態のカメラ１は静止画および動画を撮影する際に使い勝手がよい。
【００７７】
また、動画撮影中にレリーズボタン３６を押せば、即座に静止画の撮影となるためスチルカメラ１としての使い勝手がよい。
【００７８】
さらに、ミラーダウン状態では動画ボタン３３を押下しても動画撮影の開始をしないようにしたので、ファインダ像を確認しているときに不用意に動画ボタン３３を押して動画撮影になるようなことがない。このため、動画撮影のない従来のタイプの一眼レフカメラ１と同様の使い方であり、撮影者が操作の混乱をするようなことがない。さらにまた、不用意に動画撮影にならないためスチルカメラ１としての使い勝手がよい。
【００７９】
（変形形態）
以上、説明した実施形態に限定されることなく、以下に示すような種々の変形や変更が可能であり、それらも本発明の範囲内である。
（１）図１４は、図２（ａ）の動画ボタン３３の位置に配置されたボタン４０に別の機能（例えば情報表示のための機能）に割り当て、マルチセレクタの中央に配置されるＯＫボタン４１をライブビュー中に押下すると動画撮影を開始するようにした形態である。図１５は、ＯＫボタン４１の押し下げに連動してオンになり、押し下げの解除に連動してオフになるＯＫスイッチ９を示した図である。この場合には、図７のＳ７０が「ＯＫボタン押下？」の判定に変更される。
【００８０】
（２）図１６は、図２（ａ）に示す位置に動画ボタン３３を確保できない場合に、カメラ１の前面に配置されるファンクションボタン５１をライブビュー中に押下すると動画撮影を開始するようにした形態である。図１７は、ファンクションボタン５１の押し下げに連動してオンになり、押し下げの解除に連動してオフになるファンクションスイッチ１０を示した図である。この場合には、図７のＳ７０が「ファンクションボタン押下？」の判定に変更される。
（３）図２（ａ）に示す動画ボタン３３は、動画撮影の指示に関する機能以外の複数の機能を兼用する部材であってもよく、予め定められた複数の機能から、例えばメニュー画面より特定の機能を選択することができるようになっていてもよい。また、動画ボタン３３を、ミラーダウンの場合に他の機能のための操作部材として機能するようにすることもできる。
なお、実施形態および変形形態は、適宜組み合わせて用いることもできるが、詳細な説明は省略する。また、本発明は以上説明した実施形態によって限定されることはない。
【図面の簡単な説明】
【００８１】
【図１】本発明の一実施形態によるデジタル眼レフカメラ１の概略図である。
【図２】（ａ）はカメラの背面図であり、（ｂ）は、カメラの正面図である。
【図３】カメラの構成を示すブロック図である。
【図４】演算回路のメイン動作を示すフローチャートである。
【図５】オフ処理を示すフローチャートである。
【図６】ミラーダウン処理を示すフローチャートである。
【図７】ライブビューモードにおける演算回路の動作を示すフローチャートである。
【図８】ミラーアップ処理を示すフローチャートである。
【図９】ライブビュー中にレリーズボタンが押下されたときの処理を示すフローチャートである。
【図１０】メニューボタン処理を示すフローチャートである。
【図１１】再生ボタン処理を示すフローチャートである。
【図１２】半押し処理を示すフローチャートである。
【図１３】レリーズシーケンスを示すフローチャートである。
【図１４】変形形態におけるボタンの配置を示した図である。
【図１５】変形形態における、ＯＫボタンの押し下げに連動してオンになり、押し下げの解除に連動してオフになるＯＫスイッチを示した図である。
【図１６】変形形態におけるボタンの配置を示した図である。
【図１７】ファンクションボタンの押し下げに連動してオンになり、押し下げの解除に連動してオフになるファンクションスイッチを示した図である。
【符号の説明】
【００８２】
１：カメラ、５：撮影光学系、１１：ミラー機構、１４：シャッタ、１６：撮像素子、１７：モニタ、３２：ライブビューボタン、３３：動画ボタン、３６：レリーズボタン、Ａ：ミラーダウン位置、Ｂ：ミラーアップ位置
【図１】
0005040799.tif 000002
【図２】
0005040799.tif 000003
【図３】
0005040799.tif 000004
【図４】
0005040799.tif 000005
【図５】
0005040799.tif 000006
【図６】
0005040799.tif 000007
【図７】
0005040799.tif 000008
【図８】
0005040799.tif 000009
【図９】
0005040799.tif 000010
【図１０】
0005040799.tif 000011
【図１１】
0005040799.tif 000012
【図１２】
0005040799.tif 000013
【図１３】
0005040799.tif 000014
【図１４】
0005040799.tif 000015
【図１５】
0005040799.tif 000016
【図１６】
0005040799.tif 000017
【図１７】
0005040799.tif 000018